(57)【要約】【課題】同じ蒸着室にある２枚の基板に交互に蒸着する構成を簡易且つコスト安に実現可能な蒸着装置の提供。【解決手段】内部が第一蒸着領域２及び第二蒸着領域３に区分される蒸着室４と、第一蒸着領域２及び第二蒸着領域３内に搬入された基板１，１に対して相対移動することで夫々の基板１，１の被蒸着面に蒸着材料粒子を付着させる線形蒸着源５とを備えた蒸着装置であって、この線形蒸着源５を該線形蒸着源５の長手方向と直交する方向に移動させることで基板１，１に対する相対移動を行わせるスライド機構８，25を、第一蒸着領域２と第二蒸着領域３との間に配置すると共に、このスライド機構８，25に対して線形蒸着源５を移動可能に支承することによって、線形蒸着源５を第一蒸着領域２または第二蒸着領域３内に選択的に配置するように構成する。【選択図】図１
2014031547.tif 000002
【特許請求の範囲】
【請求項１】
内部が第一蒸着領域及び第二蒸着領域に区分される蒸着室と、
前記第一蒸着領域及び第二蒸着領域内に搬入された基板に対して相対移動することで夫々の基板の被蒸着面に蒸着材料粒子を付着させる線形蒸着源とを備え、
この線形蒸着源を該線形蒸着源の長手方向と直交する方向に移動させることで前記基板に対する相対移動を行わせるスライド機構を、前記第一蒸着領域と第二蒸着領域との間に配置すると共に、
このスライド機構に対して前記線形蒸着源を移動可能に支承することによって、前記線形蒸着源を前記第一蒸着領域または第二蒸着領域内に選択的に配置するように構成したことを特徴とする蒸着装置。
【請求項２】
前記線形蒸着源が、前記スライド機構に対して回動可能に支承されたことを特徴とする請求項１記載の蒸着装置。
【請求項３】
前記線形蒸着源が、前記スライド機構に対して線形蒸着源の長手方向に移動可能に支承されたことを特徴とする請求項１記載の蒸着装置。
【請求項４】
前記相対移動させる方向と直交する方向に前記線形蒸着源をスライド移動させる第二スライド機構を備えたことを特徴とする請求項１〜３のいずれか１項に記載の蒸着装置。
【請求項５】
前記線形蒸着源を回動して該線形蒸着源の長手方向と前記相対移動させる方向とを合致させ、前記第二スライド機構により前記相対移動させる方向と直交する方向に前記線形蒸着源をスライド移動させて前記基板に蒸着し得るように構成したことを特徴とする請求項４記載の蒸着装置。
【請求項６】
前記蒸着室に前記基板を搬送する基板搬送機構を有する基板搬送室に、前記第一蒸着領域及び前記第二蒸着領域を有する蒸着室を複数接続し、前記基板搬送室に搬入された前記基板を前記基板搬送機構が前記各蒸着室の各蒸着領域へ適宜振り分けるように構成し、１つの基板搬送室を複数の蒸着室で共有するように構成したことを特徴とする請求項１〜５のいずれか１項に記載の蒸着装置。
【請求項７】
内部が第一蒸着領域及び第二蒸着領域に区分される蒸着室と、
前記第一蒸着領域及び第二蒸着領域内に夫々搬入された基板に対して相対移動することで夫々の基板の被蒸着面に蒸着材料粒子を付着させる線形蒸着源とを備え、
この線形蒸着源を該線形蒸着源の長手方向と直交する方向に移動させることで前記基板に対して相対移動させるスライド機構を、前記第一蒸着領域と第二蒸着領域との間に配置すると共に、
このスライド機構に対して前記線形蒸着源を移動可能に支承することによって、前記線形蒸着源を前記第一蒸着領域または第二蒸着領域内に選択的に配置するようにし、
前記第一蒸着領域内に搬入された基板に対する蒸着を行っている間に、前記第二蒸着領域内に搬入された基板に対して蒸着前工程を行い、
前記第一蒸着領域内における前記基板に対する蒸着が完了した後、前記線形蒸着源を前記第二蒸着領域内に移動して前記蒸着前工程が完了した前記基板に対する蒸着を行う一方、この基板に対する蒸着を行っている間に、前記第一蒸着領域から蒸着が完了した前記基板を搬出した後、この第一蒸着領域内に搬入された新たな基板に対して蒸着前工程を行うことを繰り返すことで、前記第一蒸着領域または前記第二蒸着領域のいずれかにおいて前記基板を蒸着可能にすることを特徴とする蒸着方法。
【発明の詳細な説明】
【技術分野】
【０００１】
本発明は、蒸着装置及び蒸着方法に関するものである。
【背景技術】
【０００２】
蒸発中の有機材料の変質をなくし、安定した膜質を維持するため、ＯＬＥＤの製造ラインでは常に有機材料を加熱し蒸発させる。そのため、蒸着室に基板を搬入／搬出し、 基板の蒸着前工程（基板とメタルマスクのアライメント等を含む蒸着前段階の準備工程）を行う間にも材料は蒸発し続け、無駄に消費されてしまう。また、蒸着前工程を行う間に蒸着工程を進めることができず、タクトタイムが増大するという問題がある。
【０００３】
このような材料の無駄及びタクトタイムの増大を解消させるべく、例えば特許文献１，２に開示されるような技術が提案されている。
【０００４】
具体的には、特許文献１では、蒸発源が複数の蒸着室間を移動し、ある基板が搬入／搬出する間に別の蒸着室で別の基板の蒸着を行う構造が提案されている。特許文献２では、蒸着室は蒸着室内の第１基板蒸着領域と第２基板蒸着領域間を回転移動する蒸発源を備え、第１基板蒸着領域で基板に蒸着をする間に第２基板蒸着領域では基板の蒸着前工程を行う構造が提案されている。
【０００５】
また、特許文献１では蒸発源は１軸で直線的に動き、特許文献２では回転移動によって２つの蒸着領域間を往復する。上記方法では基板蒸着領域間または蒸着室間を蒸発源が移動するための移動機構として、リニアガイドや円弧状ガイドが必要になるので、基板サイズが大型化すると、上述したガイド機構も、長大なものとなってしまう。
【先行技術文献】
【特許文献】
【０００６】
【特許文献１】特開２００６−２２２６号公報
【特許文献２】特開２０１１−６８９８０号公報
【発明の概要】
【発明が解決しようとする課題】
【０００７】
本発明は、上述のような現状に鑑みなされたもので、蒸着室内のリニアガイドや円弧状ガイド等の摺動する機構をより少なくして、同じ蒸着室にある２枚の基板に交互に蒸着する構成を、簡易且つコスト安に提供するものである。また、摺動する機構を少なくすることで、真空内に舞うパーティクルの発生を抑えることができ、より清浄な環境で成膜を行うことが可能となる。
【課題を解決するための手段】
【０００８】
添付図面を参照して本発明の要旨を説明する。
【０００９】
内部が第一蒸着領域２及び第二蒸着領域３に区分される蒸着室４と、
前記第一蒸着領域２及び第二蒸着領域３内に搬入された基板１，１に対して相対移動することで夫々の基板１，１の被蒸着面に蒸着材料粒子を付着させる線形蒸着源５とを備え、
この線形蒸着源５を該線形蒸着源５の長手方向と直交する方向に移動させることで前記基板１，１に対する相対移動を行わせるスライド機構８，25を、前記第一蒸着領域２と第二蒸着領域３との間に配置すると共に、
このスライド機構８，25に対して前記線形蒸着源５を移動可能に支承することによって、前記線形蒸着源５を前記第一蒸着領域２または第二蒸着領域３内に選択的に配置するように構成したことを特徴とする蒸着装置に係るものである。
【００１０】
また、前記線形蒸着源５が、前記スライド機構８，25に対して回動可能に支承されたことを特徴とする請求項１記載の蒸着装置に係るものである。
【００１１】
また、前記線形蒸着源５が、前記スライド機構８，25に対して線形蒸着源５の長手方向に移動可能に支承されたことを特徴とする請求項１記載の蒸着装置に係るものである。
【００１２】
また、前記相対移動させる方向と直交する方向に前記線形蒸着源５をスライド移動させる第二スライド機構10を備えたことを特徴とする請求項１〜３のいずれか１項に記載の蒸着装置に係るものである。
【００１３】
また、前記線形蒸着源５を回動して該線形蒸着源５の長手方向と前記相対移動させる方向とを合致させ、前記第二スライド機構10により前記相対移動させる方向と直交する方向に前記線形蒸着源５をスライド移動させて前記基板１に蒸着し得るように構成したことを特徴とする請求項４記載の蒸着装置に係るものである。
【００１４】
また、前記蒸着室４に前記基板１を搬送する基板搬送機構を有する基板搬送室13に、前記第一蒸着領域２及び前記第二蒸着領域３を有する蒸着室４を複数接続し、前記基板搬送室13に搬入された前記基板１を前記基板搬送機構が前記各蒸着室４の各蒸着領域２，３へ適宜振り分けるように構成し、１つの基板搬送室13を複数の蒸着室４で共有するように構成したことを特徴とする請求項１〜５のいずれか１項に記載の蒸着装置に係るものである。
【００１５】
また、内部が第一蒸着領域２及び第二蒸着領域３に区分される蒸着室４と、
前記第一蒸着領域２及び第二蒸着領域３内に夫々搬入された基板１，１に対して相対移動することで夫々の基板１，１の被蒸着面に蒸着材料粒子を付着させる線形蒸着源５とを備え、
この線形蒸着源５を該線形蒸着源５の長手方向と直交する方向に移動させることで前記基板１，１に対して相対移動させるスライド機構８，25を、前記第一蒸着領域２と第二蒸着領域３との間に配置すると共に、
このスライド機構８，25に対して前記線形蒸着源５を移動可能に支承することによって、前記線形蒸着源５を前記第一蒸着領域２または第二蒸着領域３内に選択的に配置するようにし、
前記第一蒸着領域２内に搬入された基板１に対する蒸着を行っている間に、前記第二蒸着領域３内に搬入された基板１に対して蒸着前工程を行い、
前記第一蒸着領域２内における前記基板１に対する蒸着が完了した後、前記線形蒸着源５を前記第二蒸着領域３内に移動して前記蒸着前工程が完了した前記基板１に対する蒸着を行う一方、この基板１に対する蒸着を行っている間に、前記第一蒸着領域２から蒸着が完了した前記基板１を搬出した後、この第一蒸着領域２内に搬入された新たな基板１に対して蒸着前工程を行うことを繰り返すことで、前記第一蒸着領域２または前記第二蒸着領域３のいずれかにおいて前記基板１を蒸着可能にすることを特徴とする蒸着方法に係るものである。
【発明の効果】
【００１６】
本発明は上述のように構成したから、同じ蒸着室にある２枚の基板に交互に蒸着する構成を簡易且つコスト安に実現できる優れた蒸着装置を提供する。また、摺動する機構を少なくすることで、真空内に舞うパーティクルの発生を抑えることができ、より清浄な環境で成膜を行うことが可能となる。
【図面の簡単な説明】
【００１７】
【図１】実施例１の線形蒸発源及び第一スライド機構の概略説明斜視図である。
【図２】実施例１の要部の概略説明平面図である。
【図３】実施例１の蒸着工程説明図である。
【図４】実施例１の蒸着工程説明図である。
【図５】実施例１の蒸着工程説明図である。
【図６】実施例１の蒸着工程説明図である。
【図７】実施例１の蒸着工程説明図である。
【図８】線形蒸発源の説明図である。
【図９】真空室の配置構成図である。
【図１０】真空室の配置構成図である。
【図１１】真空室の配置構成図である。
【図１２】真空室の配置構成図である。
【図１３】実施例２の要部の概略説明斜視図である。
【図１４】実施例２の作動説明図である。
【図１５】実施例２の作動説明図である。
【図１６】実施例２の作動説明図である。
【図１７】別例の第二スライド機構の概略説明斜視図である。
【図１８】実施例３の要部の概略説明斜視図である。
【図１９】実施例３の要部の概略説明平面図である。
【図２０】実施例３の蒸着工程説明図である。
【図２１】実施例３の蒸着工程説明図である。
【図２２】実施例３の蒸着工程説明図である。
【図２３】実施例３の蒸着工程説明図である。
【図２４】実施例３の蒸着工程説明図である。
【発明を実施するための形態】
【００１８】
好適と考える本発明の実施形態を、図面に基づいて本発明の作用を示して簡単に説明する。
【００１９】
線形蒸発源５をスライド機構８，25に対して移動させて第一蒸着領域２若しくは第二蒸着領域３に配置し、この線形蒸発源５をスライド機構８，25により線形蒸着源５の長手方向と直交する方向に移動させて基板１に蒸着材料を蒸着する。
【００２０】
この際、第一蒸着領域２若しくは第二蒸着領域３での蒸着を終えた線形蒸発源５を反対側の蒸着領域に移動させることで、第二蒸着領域３若しくは第一蒸着領域２で蒸着を続行することができる。
【００２１】
即ち、例えば、前記第一蒸着領域２内に搬入された基板１に対する蒸着を行っている間に、前記第二蒸着領域３内に搬入された基板１に対して蒸着前工程を行い、前記第一蒸着領域２内における前記基板１に対する蒸着が完了した後、前記線形蒸着源５を前記第二蒸着領域３内に移動して前記蒸着前工程が完了した前記基板１に対する蒸着を行う一方、この基板１に対する蒸着を行っている間に、前記第一蒸着領域２から蒸着が完了した前記基板１を搬出した後、この第一蒸着領域２内に搬入された新たな基板１に対して蒸着前工程を行うことを繰り返すことで、常時、前記第一蒸着領域２または前記第二蒸着領域３のいずれかにおいて前記基板１を蒸着し得ることになる。
【００２２】
従って、蒸着室４への基板１の搬入搬出時間中や、基板１の蒸着前工程時間中にも他の基板１に蒸着することができ、材料の使用効率を増大させることができる。
【実施例１】
【００２３】
本発明の具体的な実施例１について図面に基づいて説明する。
【００２４】
実施例１は、一の基板１を蒸着する第一蒸着領域２及び他の基板１を蒸着する第二蒸着領域３が並設された蒸着室４に、前記基板１の被蒸着面に蒸着材料を付着させる線形蒸発源５と、この線形蒸発源５を前記基板１の一端側から他端側に向かうＸ方向にスライド移動させる第一スライド機構８とを設けた蒸着装置である。前記第一スライド機構８を前記第一蒸着領域２と前記第二蒸着領域３との間の境界部に設け、前記線形蒸発源５の基端部を前記第一スライド機構８に１８０°水平回動自在に取り付けて、この線形蒸発源５を１８０°水平回動しこの線形蒸発源５の前記Ｘ方向と水平方向に直交するＹ方向の向きを反転することで、前記第一蒸着領域２において前記一の基板１と対向する第一の蒸着位置と前記第二蒸着領域３において前記他の基板１と対向する第二の蒸着位置とに切り替えられるように構成し、前記第一の蒸着位置若しくは前記第二の蒸着位置に位置した前記線形蒸発源５を前記第一スライド機構８により前記Ｘ方向にスライド移動させて前記第一蒸着領域２の前記一の基板１若しくは前記第二蒸着領域３の前記他の基板１に蒸着し得るように構成したものである。
【００２５】
具体的には、実施例１は、図１〜７に図示したように、線形蒸発源５が、回転軸６を介して第一スライド機構８（一般的な直線スライドユニット）のスライダ７上に水平回動自在に連結（軸着）されたもので、この線形蒸発源５の向きを変えることで第一及び第二蒸着領域２，３間を往復移動する機構を持つものである。
【００２６】
即ち、線形蒸発源５を１８０°回転させることで、同じ蒸着室にある２枚の基板１に交互に蒸着できるようにしたものである。図中符号11はゲートバルブである。
【００２７】
各部を具体的に説明する。
【００２８】
蒸着室４は真空ポンプ等の適宜な排気機構を備えた真空室であり、基板搬送機構としてのロボットハンド14を備えた基板搬送室13とは、開閉機構であるゲートバルブ11を介して接続されている（図９〜１２参照）。実施例１においては、ゲートバルブ11は第一蒸着領域２及び第二蒸着領域３への搬入出に対応して第一蒸着領域２側と第二蒸着領域３側に夫々１つずつ設けられている。
【００２９】
第一蒸着領域２及び第二蒸着領域３は明確に物理的に分離してはいないが、蒸着室４内の左側寄りに一の基板１が配設される第一蒸着領域２、右側寄りに他の基板１が配設される第二蒸着領域３が設けられる（例えば、図２参照）。
【００３０】
具体的には、一の基板１と他の基板１とが、他方の領域において蒸着を行う際に影響を受けない程度に所定間隔をおいて並設状態に配設されるように、第一蒸着領域２及び第二蒸着領域３を設定する。
【００３１】
この第一蒸着領域２と第二蒸着領域３との間の境界部に第一スライド機構８が配設される。なお、基板１は蒸着室４の天面側に、第一スライド機構８及び線形蒸発源５は蒸着室４の底面側に夫々配設される。
【００３２】
具体的には、図３〜７に図示したように、第一スライド機構８が基板１の長辺部と平行になるように基板１を各領域に配設するように構成し、線形蒸発源５を基板１の長辺方向と平行なＸ方向にスライド移動し得るように構成している。また、第一スライド機構８の長さは、第一蒸着領域２及び第二蒸着領域３に配設される基板１の長辺部より前後に長くなるように設定している。
【００３３】
なお、実施例１においては上述のようにしているが、基板１の短辺部が第一スライド機構８と平行になるようになるように基板１を各領域に配設する構成、即ち、基板１の短辺方向をＸ方向としても良い。
【００３４】
線形蒸発源５は、基板１の被蒸着面に蒸着材料を付着させる一般的なラインソースである。実施例１においては、線形蒸発源５は細長い枢形状で、その上面に枢形の長手方向に延設される直線状でスリット状の蒸着口12が設けられるものとしている。この蒸着口12から蒸着材料が基板１の被蒸着面に向かって放出される。なお、蒸着口12の形状は、スリット状に限定されるものではなく、円形や角形の蒸着口が複数個直線状に並んでいる構成としても良い。
【００３５】
この線形蒸発源５の蒸着口12は、前記Ｘ方向と水平方向に直交するＹ方向において、前記第一蒸着領域２の所定の蒸着位置に配設される一の基板１若しくは前記第二蒸着領域３の所定の蒸着位置に配設される他の基板１の短辺方向の略全域に蒸着材料を付着し得る長さに設定している。
【００３６】
従って、線形蒸発源５を水平回動させてスライド移動方向であるＸ方向と水平方向に直交するＹ方向に向けることで第一の蒸着位置若しくは第二の蒸着位置に位置せしめ、第一蒸着領域２若しくは第二蒸着領域３において線形蒸発源５を第一スライド機構８によりＸ方向にスライド移動させながら基板１に蒸着材料を蒸着することで、基板１の略全面に成膜し得ることになる。
【００３７】
よって、実施例１は、以下のように蒸着を行うことが可能となる。
【００３８】
即ち、第一蒸着領域２において、第一の基板１と対向する第一の蒸着位置に線形蒸発源５を回動配設して、第一スライド機構８により前記Ｘ方向に往復移動させながら第一の基板１に蒸着している間、前記第二蒸着領域３に第二の基板１を搬入する（図３）。搬入後は直ちに第二の基板１の蒸着前工程を行う（図４）。第一蒸着領域２で第一の基板１への蒸着が終了すると線形蒸発源５を１８０°水平回動させ、第二蒸着領域３において第二の基板１と対向する第二の蒸着位置に線形蒸発源５を回動配設し（図５）、線形蒸発源５を第一スライド機構８により前記Ｘ方向に往復移動させて第二の基板１への蒸着を開始する。前記第二蒸着領域３において第二の基板１に蒸着を行っている間、第一蒸着領域２において第一の基板１を搬出し（図６）、この第一蒸着領域２に第三の基板１を搬入して蒸着前工程を行う（図７）。以上の一連の工程を繰り返すことで、常時、第一蒸着領域２及び第二蒸着領域３のいずれかで基板１に蒸着し得ることになる。
【００３９】
実施例１においては、蒸着材料が無駄に消費されるのは線形蒸発源５が回動する時間のみであり、極めて効率的に蒸着材料を使用可能となる。
【００４０】
なお、基板１に対する蒸着前工程とは、例えば、メタルマスクと基板１とのアライメント工程等、基板１を蒸着室４に搬入してから蒸着を開始するまでに行う準備工程である。
【００４１】
また、図８に図示したように、１元蒸発源では特に問題はないが、ホスト材料用の蒸着口12ａとゲスト材料用の蒸着口12ｂとを有する２元蒸発源では蒸着方向によってホスト材料及びゲスト材料の基板への付着順序が変わってしまう。そこで、付着順序を考慮する場合には、ホスト材料用の蒸着口12ａでゲスト材料用の蒸着口12ｂを挟んだ３元蒸発源とする。この場合、図８における上方向へ蒸発源が移動する場合も、１８０°回動して同図下方向へ蒸発源が移動する場合も有機材料の付着順序を変えることなく蒸着可能となる。なお、図８の下段に示したようにゲスト材料用の蒸着口12ｂでホスト材料用の蒸着口12ａを挟むように設ける構成としても良い。
【００４２】
また、実施例１は、前記基板１を前記蒸着室４へ搬送する基板搬送機構としてのロボットハンド14を有する基板搬送室13に、前記第一蒸着領域２及び前記第二蒸着領域３を有する蒸着室４を複数（例えば、２つ）接続し、前記基板搬送室13に搬入された前記基板１を前記基板搬送機構が前記蒸着室４の各蒸着領域へ適宜振り分けるように構成し、１つの基板搬送室13を複数の蒸着室４で共有するように構成している。なお、基板搬送室13にも適宜な排気機構が設けられる。
【００４３】
基板搬送室13の周囲には、蒸着室４に限らず他の真空室を接続しても良く、例えば図９〜１２に示すように構成することができる。図中、基板が搬送される軌跡をＡライン、Ｂラインとして矢印で示した。Ａライン、Ｂラインは夫々独立した基板の搬送ラインである。また、接続する真空室の数等に応じて、基板搬送室13の平面視形状は、多角形状を適宜設定し得る。図中、15は搬入室、16は搬出室、17，18，19，20は新しいメタルマスク21、あるいは、使用済みのメタルマスク21が保管されるマスクストック室である。なお、蒸着室４内のマスクとマスクストック室のマスクはロボットハンド14により適宜交換される。また、搬入室15や搬出室16には適宜基板の向きを回転させる基板回転機構を設ける構成としても良い。更に、マスクストック室に限らず、他の成膜室・処理室を設ける構成としても良い。
【００４４】
従って、ある蒸着室４がメンテナンスや不具合のためにやむを得ず停止する場合でも、蒸着室４と基板搬送室13との間に設けたゲートバルブ11を閉じることで、同一の基板搬送室13に接続された別の蒸着室４は稼働を続けることができ、メンテナンス時や不具合時の蒸着装置ラインの稼働率の低下を抑制することが可能となる。
【００４５】
実施例１は上述のように構成したから、同じ蒸着室にある２枚の基板に交互に蒸着する構成を簡易且つコスト安に実現可能な蒸着装置となる。
【実施例２】
【００４６】
実施例２は、実施例１の第一スライド機構８に加えて、前記Ｘ方向と水平方向に直交するＹ方向へ線形蒸発源５をスライド移動させる第二スライド機構10を設けた構成である。
【００４７】
この第二スライド機構10もスライダ９とガイドレールとから成る一般的な直線スライドユニットである。実施例２においては、図１３〜１６に図示したように、前記Ｘ方向を向く第一スライド機構８が架設されるように前記Ｙ方向を向く第二スライド機構10を一対設けた構成としている。
【００４８】
なお、上述のように第二スライド機構10を一対設ける構成でなく、例えば図１７に図示した別例のように、第二スライド機構10を一つ設ける構成としても良い。この場合、第一蒸着領域２及び第二蒸着領域３に設置される基板１の長辺方向の略中央位置に前記Ｙ方向を向く第二スライド機構10を設ける。
【００４９】
この一対の第二スライド機構10は、線形蒸発源５を第一蒸着領域２及び第二蒸着領域３に配設される基板１に対して漏れなく蒸着し得るように、第一蒸着領域２及び第二蒸着領域３の前後端部に夫々配設している。また、第二スライド機構10の長さは、第一蒸着領域２に配設される一の基板１の左端から第二蒸着領域３に配設される他の基板１の右端までの長さより長くなるように設定している。
【００５０】
従って、線形蒸発源５を前記Ｘ方向を向くように水平回動させ（図１５）、第二スライド機構により（第一蒸着領域２若しくは第二蒸着領域３に移動させた後）前記Ｙ方向にスライド移動させて基板１に蒸着することが可能となる（図１６）。
【００５１】
即ち、例えば、線形蒸発源５が前記Ｙ方向を向き第一スライド機構８により前記Ｘ方向にスライド移動させることで蒸着する状態から、９０°水平回動させて前記Ｘ方向を向かせ、第二スライド機構10により前記Ｙ方向にスライド移動させることで蒸着する状態に切り替えることが可能となり、線形蒸発源５のスキャン方向（基板１の長辺方向若しくは短辺方向）を適宜選択して蒸着することが可能となる。
【００５２】
線形蒸発源５のスキャン方向を基板１の長辺方向とするか短辺方向とするかは、マスクのパターンの開口形状と開口の向きに応じて設定する（最もパターンぼけの少ない移動方向を適宜選択する。）。このようにスキャン方向が適宜変更できることで、マスクのパターン仕様の変更に柔軟に対応することが可能となる。
【００５３】
その余は実施例１と同様である。
【実施例３】
【００５４】
実施例３は、スライド機構25に対して線形蒸発源５を水平移動可能に支承することによって、線形蒸着源５を第一蒸着領域２または第二蒸着領域３内に選択的に配置するように構成したものである。
【００５５】
具体的には、図１８，１９に図示したように、第一リニアガイド22と第二リニアガイド23との間に、スライド機構25としてのボールネジ25を、第一リニアガイド22及び第二リニアガイド23と平行に設けている。
【００５６】
また、ボールネジ25が螺合する移動体28上に取り付けられる板体29の上面には、線形蒸発源５がガイドされる第三リニアガイド24を設けている。また、板体29の上面には、第三リニアガイド24と平行に、線形蒸発源５に設けられるピニオン26と噛合するラック27を設けている。また、板体29は、第一リニアガイド22及び第二リニアガイド23にガイドされ、ボールネジ25により円滑にスライド移動する。
【００５７】
従って、ボールネジ25により、線形蒸発源５は第一方向Ｘに往復移動可能である。この第一方向Ｘは、ボールネジ25による線形蒸発源５の移動方向である。
【００５８】
また、ピニオン26及びラック27により、線形蒸発源５は第一方向Ｘと直交する第二方向Ｙにも往復移動可能である。この第二方向Ｙは、第一蒸着領域２と第二蒸着領域３の間を線形蒸発源５が往復移動する方向である。
【００５９】
以下、図２０〜２４に基づいて蒸着工程を説明する。
【００６０】
第一蒸着領域２で、線形蒸発源５が第一リニアガイド22、第二リニアガイド23、ボールネジ25によって第一方向Ｘに移動しながら、基板101に蒸着している間、第二蒸着領域３に、基板102を外部から搬入する（図２０参照）。
【００６１】
続いて、第二蒸着領域３に搬入された基板102に対し、蒸着前工程を行う。その間、第一蒸着領域２では基板101に対して蒸着中である（図２１参照）。
【００６２】
続いて、第一蒸着領域２で基板101の蒸着が完了し、線形蒸発源５がピニオン26、ラック27、第三リニアガイド24によって、第一蒸着領域２から第二蒸着領域３に移動する。そして、第二蒸着領域に移動した線形蒸発源５により基板102に蒸着を行う。なお、第一蒸着領域２での蒸着時と同様に、線形蒸発源５を第一リニアガイド22、第二リニアガイド23、ボールネジ25によって第一方向Ｘに移動させながら蒸着を行う（図２２参照）。
【００６３】
続いて、第一蒸着領域２で蒸着が完了した基板101が蒸着室４の外部に搬出される。その間、第二蒸着領域３では基板102に対して蒸着中である（図２３参照）。
【００６４】
続いて、第一蒸着領域２に新しい基板103を搬入し、蒸着前工程を行う。その間、第二蒸着領域３では基板１02に対して蒸着中である（図２４参照）。
【００６５】
その余は実施例１と同様である。
【００６６】
なお、本発明は、実施例１〜３に限られるものではなく、各構成要件の具体的構成は適宜設計し得るものである。
【符号の説明】
【００６７】
１  基板
２  第一蒸着領域
３  第二蒸着領域
４  蒸着室
５  線形蒸発源
８・25  スライド機構
10  第二スライド機構
13  基板搬送室
【図１】
2014031547.tif 000003
【図１３】
2014031547.tif 000004
【図１７】
2014031547.tif 000005
【図１８】
2014031547.tif 000006
【図２】
2014031547.tif 000007
【図３】
2014031547.tif 000008
【図４】
2014031547.tif 000009
【図５】
2014031547.tif 000010
【図６】
2014031547.tif 000011
【図７】
2014031547.tif 000012
【図８】
2014031547.tif 000013
【図９】
2014031547.tif 000014
【図１０】
2014031547.tif 000015
【図１１】
2014031547.tif 000016
【図１２】
2014031547.tif 000017
【図１４】
2014031547.tif 000018
【図１５】
2014031547.tif 000019
【図１６】
2014031547.tif 000020
【図１９】
2014031547.tif 000021
【図２０】
2014031547.tif 000022
【図２１】
2014031547.tif 000023
【図２２】
2014031547.tif 000024
【図２３】
2014031547.tif 000025
【図２４】
2014031547.tif 000026